(57)【要約】【課題】２つのディジタル処理回路間で信号線に対する伝送情報の多重化を行って信号線数の削減またはデータ伝送の高速化を図ったテレビ受像機およびディジタル処理装置を構成する。【解決手段】送信側回路１０のクロック信号発生回路１２は所定周波数の矩形波のクロック信号ＣＬＫを発生し、波形変形回路１３は伝送情報出力回路１１からの出力に応じてクロック信号ＣＬＫを波形変形して伝送情報を重畳する。受信側回路２０の波形認識回路２３は、伝送情報が重畳されたクロック信号Ｃｏを波形認識して伝送情報を抽出する。波形整形回路２４はクロック信号を再生し、ディジタル処理回路２６はそのクロックに同期して処理を行う。【選択図】図１
2007165942.tif 000002
【特許請求の範囲】
【請求項１】
所定周波数のクロック信号を発生するクロック信号発生回路と、前記クロック信号の基本周波数を変化させることなく番組の視聴に関する制御情報に応じて波形を変形させる波形変形回路とを備えたクロック信号出力部と、
前記クロック信号を入力して当該クロック信号に同期した処理を行う回路と、前記クロック信号を当該クロック信号の基本周波数より高い周波数でオーバーサンプリングするとともにＡＤ変換し、クロック信号の立ち上がりまたは立ち下がり部分の変化から、予め定めた複数通りの波形のうち、いずれの波形であるかを認識して前記制御情報を抽出する制御情報抽出回路と、当該制御情報に応じて、前記番組の視聴に関する制御を行う制御回路とを備えた番組視聴制御部とを含むテレビ受像機。
【請求項２】
所定周波数のクロック信号を発生するクロック信号発生回路を備えた送信側回路と、クロック信号を入力して当該クロック信号に同期した処理を行う回路を備えた受信側回路とを含むディジタル処理装置において、
前記送信側回路に、前記クロック信号の基本周波数を変化させることなく伝送情報に応じて波形を変形させる波形変形手段を備え、
前記受信側回路に、前記クロック信号の波形を認識して前記伝送情報を抽出する波形認識手段を備えたディジタル処理装置。
【請求項３】
前記波形認識手段は、前記クロック信号を当該クロック信号の基本周波数より高い周波数でオーバーサンプリングするとともにＡＤ変換し、クロック信号の立ち上がりまたは立ち下がり部分の変化から、予め定めた複数通りの波形のうち、いずれの波形であるかを認識するものである請求項２に記載のディジタル処理装置。
【発明の詳細な説明】
【技術分野】
【０００１】
この発明は、クロック信号に同期して所定のディジタル処理を行うテレビ受像機およびディジタル処理装置に関するものである。
【背景技術】
【０００２】
従来、ディジタル信号を扱うディジタル処理装置は、殆どの場合一定周波数のクロック信号に同期して処理を行うように、その回路が構成されている。このようなクロック信号は矩形波信号発生回路（発振器）や、正弦波信号を発振する発振器とその波形を矩形波信号に波形整形する波形整形回路とから構成されている。
【０００３】
また、ディジタル処理装置は、複数のディジタル処理回路の組み合わせによって構成する場合に、あるディジタル処理回路から他のディジタル処理回路に対して論理信号を与えることによってその両者が同期して所定のディジタル処理を行うように構成されている。
【０００４】
一方、２つの回路や装置間でディジタル信号の伝送を行うものとして特許文献１〜３が開示されている。
【０００５】
特許文献１は、論理信号を出力する出力回路と出力端子との間に時定数回路を挿入して、その時定数を変えることによって出力波形の違いを判別し、それによって類似する集積回路同士間の異同を識別する集積回路に関するものである。
【０００６】
特許文献２は、矩形波信号の立ち上がり部と立ち下がり部において、所定の傾きを有する波形に変形して、その変形した信号を通信信号として用いる通信システムに関するものである。
【０００７】
特許文献３は、１つの入出力回路で、固有のＣＲ時定数による信号の立ち上がり時間の遅延回路とカウンタから出力される一定周期のパルス信号を用いることによって、基板上で設定された多値の固定情報を認識する電子回路に関するものである。
【特許文献１】特登２９０１４２８号公報
【特許文献２】特公平６−５８４４号公報
【特許文献３】特開２００４−２６０４１８号公報
【発明の開示】
【発明が解決しようとする課題】
【０００８】
２つのディジタル処理回路間でクロック信号を伝送するようにしたディジタル処理装置において（例えばテレビ受像機において２つのディジタル処理回路間でデータ伝送を行うような場合に）、上記２つの回路間での信号線数を減らしたり、限られた線数の信号線で転送レートを高めたりすることは小型化および高速処理化の面で重要である。
【０００９】
しかし、従来のディジタル処理装置においてはあくまでも二値論理レベルの信号を扱うものであって回路上に特別な工夫はなされていなかった。
【００１０】
そこで、この発明の目的は、２つのディジタル処理回路間（送信側回路と受信側回路との間）で信号線に対する伝送情報の多重化を行って信号線数の削減またはデータ伝送の高速化を図った、テレビ受像機およびディジタル処理装置を提供することにある。
【課題を解決するための手段】
【００１１】
この発明のテレビ受像機は、所定周波数のクロック信号を発生するクロック信号発生回路と、前記クロック信号の基本周波数を変化させることなく番組の視聴に関する制御情報に応じて波形を変形させる波形変形回路とを備えたクロック信号出力部と、前記クロック信号を入力して当該クロック信号に同期した処理を行う回路と、前記クロック信号を当該クロック信号の基本周波数より高い周波数でオーバーサンプリングするとともにＡＤ変換し、クロック信号の立ち上がりまたは立ち下がり部分の変化から、予め定めた複数通りの波形のうち、いずれの波形であるかを認識して前記制御情報を抽出する制御情報抽出回路と、当該制御情報に応じて、前記番組の視聴に関する制御を行う制御回路とを備えた番組視聴制御部とを含んで構成する。
【００１２】
また、この発明のディジタル処理装置は、所定周波数のクロック信号を発生するクロック信号発生回路を備えた送信側回路と、クロック信号を入力して当該クロック信号に同期した処理を行う回路を備えた受信側回路とを含むディジタル処理装置において、前記送信側回路に、前記クロック信号の基本周波数を変化させることなく伝送情報に応じて波形を変形させる波形変形手段を備え、前記受信側回路に、前記クロック信号の波形を認識して前記伝送情報を抽出する波形認識手段を備えたものとする。
【００１３】
また、前記波形認識手段は、前記クロック信号を当該クロック信号の基本周波数より高い周波数でオーバーサンプリングするとともにＡＤ変換し、クロック信号の立ち上がりまたは立ち下がり部分の変化から、予め定めた複数通りの波形のうち、いずれの波形であるかを認識するものとする。
【００１４】
このようにクロック信号の基本周波数を変更することなく、クロック信号の波形を伝送すべき情報に応じて波形を変化させることによって、クロック信号を伝送する信号線を用いてクロック信号以外の情報を伝送可能とする。
【００１５】
なお、特許文献１に示されている回路は、時定数の大小により変化する波形の違いを判別するものであり、本願発明の波形認識によって情報の伝送を行うものとは異なる。また、特許文献２は、波形を変形させて伝送するように構成しているが、これはノイズ対策のためであり、本願発明のように波形認識によって情報の伝送を行うものではない。さらに、特許文献３はＣＲ時定数による信号の立ち上がり時間の遅延によって多値情報を認識するものであって、本願発明のようち波形の認識によるものではない。
【発明の効果】
【００１６】
この発明によれば、クロック信号の基本周波数を変化させることなく、伝送情報に応じて送信側でクロック信号の波形が変形されて伝送され、受信側ではそのクロック信号の波形を認識して伝送情報を抽出するようにしたので、クロック信号用の信号線を用いて、クロック信号とは別の独立した情報の伝送が可能となる。しかも波形は複数種類採ることができるので、一本の信号線で複数の情報を伝送することも可能となる。
【００１７】
また、クロック信号をその周波数より高い周波数でオーバーサンプリングするとともにＡＤ変換することによって、クロック信号の立ち上がりまたは立ち下がり部分の傾き等の変化に応じて、予め定めた複数通りの波形のうちいずれの波形であるかの認識が容易となる。
【００１８】
また、クロック信号に重畳する情報を番組の視聴に関する制御情報とすることによって、例えばコピープロテクトに関する制御やクローズドキャプションに関する制御等の番組視聴制御を、それ専用の制御線を設けることなく、クロック信号を出力する装置から番組視聴制御装置に対して伝送可能となる。
【発明を実施するための最良の形態】
【００１９】
この発明の実施形態に係るディジタル処理装置およびテレビ受像機について各図を参照して説明する。
【００２０】
図１はディジタル処理装置の構成を示すブロック図である。このディジタル処理装置は送信側回路１０と受信側回路２０とを備えている。送信側回路１０は伝送情報出力回路１１、クロック信号発生回路１２、および波形変形回路１３を備えている。伝送情報出力回路１１は、受信側回路２０へ伝送すべき情報に応じて、波形変形回路１３に対して制御信号を出力する。クロック信号発生回路１２は、受信側回路２０に対して与えるべきクロック信号を発生する。波形変形回路１３は、クロック信号発生回路１２が発生したクロック信号ＣＬＫの波形を伝送情報出力回路１１から出力される制御信号に応じて変形する。
【００２１】
受信側回路２０は、サンプリング回路２１、Ａ／Ｄコンバータ２２、波形認識回路２３、波形整形回路２４、逓倍回路２５、およびディジタル処理回路２６を備えている。サンプリング回路２１は上記伝送情報が重畳されたクロック信号Ｃｏを入力して所定周期でサンプリングする。Ａ／Ｄコンバータ２２は、サンプリングされた値をＡ／Ｄ変換する。波形認識回路２３はＡ／Ｄコンバータ２２により変換されたディジタルデータ列を基に波形の認識を行う。また、波形整形回路２４は、上記クロック信号Ｃｏを波形整形して、内部で用いるクロック信号を生成する。逓倍回路２５はクロック信号を所定逓倍数だけ逓倍してサンプリングタイミング信号として与える。ディジタル処理回路２６は、波形整形回路２４から出力される信号をクロック信号として入力し、波形認識回路２３が認識した結果、すなわち送信側回路１０から受け取った伝送情報を入力情報とし、所定のディジタル処理を行う。さらに、このディジタル処理回路２６は送信側回路１０から伝送される情報とは別に外部からの入力信号Ｓ２を入力して処理結果を出力信号Ｓ３として出力する。
【００２２】
図２は、図１に示したクロック信号発生回路１２の出力信号ＣＬＫと波形変形回路１３の出力信号Ｃｏの例を示す波形図である。図２において（Ａ）はクロック信号発生回路１２が発生するクロック信号ＣＬＫの波形、図２の（Ｂ）〜（Ｄ）は波形変形回路１３が伝送情報出力回路１１から受けた信号に応じて変形したクロック信号Ｃｏ１〜Ｃｏ３の波形である。
【００２３】
この例では、クロック信号発生回路１２が発生するクロック信号ＣＬＫの立ち上がり部と立ち下がり部の傾きを変化させることによって波形の変形を行うようにし、伝送情報出力回路１１から与えられる伝送すべき情報に応じた切替信号によって上記傾きを変化させるようにしたものである。
【００２４】
図３は、図１に示した受信側回路２０の処理を説明するための図であり、上記伝送情報が重畳されたクロック信号Ｃｏのサンプリングの様子を示している。ここで横軸は時間（時刻）、縦軸は電圧（ＡＤ変換値）である。図１に示した波形整形回路２４は伝送情報が重畳されたクロック信号Ｃｏを再び二値論理レベルの信号に波形整形することによって図２の（Ａ）に示したクロック信号ＣＬＫと同様の（同一周波数の）クロック信号を再生する。逓倍回路２５はこのクロック信号を所定逓倍数（例えば８逓倍）だけ逓倍することによって、波形整形回路２４から出力されるクロック信号およびクロック信号発生回路１２が発生したクロック信号ＣＬＫとコヒーレントな周期信号を発生する。サンプリング回路２１はその周期で、図３に示したように伝送情報が重畳されたクロック信号Ｃｏをサンプリングする。
【００２５】
図１に示したＡ／Ｄコンバータ２２は、そのサンプリング値をディジタルデータに変換し、波形認識回路２３は、図３に示したようなディジタルデータ列の変化から、上記伝送情報が重畳されたクロック信号の立ち上がり部分または立ち下がり部分の波形の傾きを求め、その傾きが予め採り得る複数通りのどの傾きに相当するかを比較同定することによって認識を行う。図２に示した例ではＣｏ１，Ｃｏ２，Ｃｏ３のいずれの波形であるかを認識する。
【００２６】
なお、図２に示した例では、クロック信号の立ち上がり部と立ち下がり部の傾きが３通りとなる例を示したが、図３に示したサンプリング周期およびＡ／Ｄ変換の分解能に応じて更に多くの傾きを同定できるので、１つのクロック信号により多くの多値情報を重畳することができる。この「波形変形」には、クロック信号の立ち上がり部と立ち下がり部を傾斜させないでクロック信号発生回路１２が発生したクロック信号ＣＬＫをそのまま出力する状態もあり得る。すなわちその状態も伝送情報の１つとして採ることができる。
【００２７】
図４は図１に示した波形変形回路１３の他の動作例を示す図である。図４において（Ａ）は、図１に示したクロック信号発生回路１２が発生するクロック信号ＣＬＫの波形、（Ｂ）〜（Ｄ）は、図１に示した波形変形回路１３が発生する、伝送情報が重畳されたクロック信号Ｃｏ（Ｃｏ１１〜Ｃｏ１３）の波形である。
【００２８】
この例ではＬＣＲ（インダクタＬ，キャパシタＣ，抵抗Ｒ）回路を用い、その回路定数を変化させることによって矩形波入力時の過渡現象により、その応答波形を変化させるようにしたものである。すなわち、図４（Ｂ）はリンギングの有る減衰振動波形となる例、（Ｃ），（Ｄ）はいずれも振動を伴わない例であり、（Ｃ）は静定時間が短い例、（Ｄ）は長い例である。
【００２９】
このようにＬＣＲ回路定数（時定数）を切替ることによって波形の変形を行うようにしてもよい。この場合にも、図１に示した受信側回路２０の波形認識回路２３は、受信したクロック信号の立ち上がり部分または立ち下がり部分の傾きによって、または減衰振動の有無によって波形の認識を行うことができる。
【００３０】
次に、第２の実施形態に係るテレビ受像機の構成例を図５を基に説明する。
図５はテレビ受像機の番組視聴制御に関する部分のブロック図である。テレビ受像機１００には、クロック信号出力部３０と番組視聴制御部４０とを含んでいる。クロック信号出力部３０は番組視聴制御部４０がディジタル処理を行うのに必要なクロック信号を発生するとともに、番組視聴制御に関する制御信号Ｓ１を受け取ってその情報をクロック信号に重畳する。番組視聴制御部４０は、番組視聴のための信号Ｓ２を入力して、実際に番組視聴を行うための出力部へ信号Ｓ３を出力する。またクロック信号出力部３０からクロック信号を入力するとともに、そのクロック信号に重畳されている番組の視聴に関する制御情報を抽出して、例えばコピープロテクトの適用・解除の制御やクローズドキャプションの出力・停止に関する制御等を行う。
【００３１】
図５に示したクロック信号出力部３０の構成は図１に示した送信側回路１０の構成と同様であり、図５における番組視聴制御部４０構成は図１における受信側回路２０の構成と同様である。
【００３２】
なお、図１に示した例では、波形整形回路２４を用いて、送信側回路１０のクロック信号発生回路１２が発生したクロック信号ＣＬＫと同等の信号を再生するようにしたが、単に立ち上がり部と立ち下がり部の傾斜を伴う信号を与えても、ディジタル回路が正常に動作する場合には、このような波形整形を行わずに、上記伝送情報が重畳されたクロック信号Ｃｏを直接ディジタル処理回路２６へ与えるようにしてもよい。
【００３３】
また、図１に示した例では、逓倍回路２５を用い、クロック信号のサンプリングタイミングを定めるようにしたが、送信側回路１０から出力されるクロック信号Ｃｏのクロック周波数（周期）とは別に（独立して）所定のサンプリング周期でクロック信号をサンプリングするようにしてもよい。
【図面の簡単な説明】
【００３４】
【図１】第１の実施形態に係るディジタル処理装置の構成を示すブロック図である。
【図２】図１のクロック信号発生回路１２および波形変形回路１３の出力波形の例を示す図である。
【図３】図１の受信側回路２０の動作について示す波形図である。
【図４】波形変形回路１３の別の動作例を示す波形図である。
【図５】第２の実施形態に係るテレビ受像機の主要部の構成を示すブロック図である。
【符号の説明】
【００３５】
１０−送信側回路
２０−受信側回路
３０−クロック信号出力部
４０−番組視聴制御部
１００−テレビ受像機
【図１】
2007165942.tif 000003
【図２】
2007165942.tif 000004
【図３】
2007165942.tif 000005
【図４】
2007165942.tif 000006
【図５】
2007165942.tif 000007